(57)【特許請求の範囲】
【請求項１】
Ｎ本のアンテナを具備する無線通信基地局装置に対応する第１無線通信端末装置および前記Ｎ本より多いアンテナを具備する無線通信基地局装置に対応する第２無線通信端末装置の双方が用いる第１参照信号、および、前記第２無線通信端末装置のみが用いる第２参照信号を送信する無線通信基地局装置であって、
前記第２参照信号を、前記第１無線通信端末装置用の制御チャネルまたは前記第２無線通信端末装置用の制御チャネルが割り当てられる可能性がある複数のＣＣＥのうち、少なくとも一つのＣＣＥに割り当てる割当手段と、
前記第１参照信号をすべてのリソースブロックに配置し、前記第２参照信号を割り当てられた前記ＣＣＥに配置する配置手段と、
配置された前記第１参照信号と前記第２参照信号を送信する送信手段と、
を具備する無線通信基地局装置。
【請求項２】
前記第１無線通信端末装置がＬＴＥ端末であり、前記第２無線通信端末装置がＬＴＥａｄｖａｎｃｅｄ端末である、
請求項１記載の無線通信基地局装置。
【請求項３】
前記第１無線通信端末装置は、前記第２無線通信端末装置が動作する通信システムよりも前のバージョンの通信システムでのみ動作する無線通信端末装置である、
請求項１記載の無線通信基地局装置。
【請求項４】
前記第２参照信号が割り当てられた前記ＣＣＥの位置を示す情報および前記第２参照信号が割り当てられたＣＣＥの数を示す情報を、ＢＣＨ信号を用いて前記第２無線通信端末装置に報知する報知手段、をさらに具備する、
請求項１記載の無線通信基地局装置。
【請求項５】
前記割当手段は、前記第２参照信号を、前記複数のＣＣＥにおいてサブフレーム毎に異なるＣＣＥに割り当てる、
請求項１記載の無線通信基地局装置。
【請求項６】
前記割当手段は、自装置の通信範囲内に存在する、前記第２無線通信端末装置の数がより少ないほど、前記第２参照信号を割り当てるＣＣＥの数をより少なくする、
請求項１記載の無線通信基地局装置。
【請求項７】
前記割当手段は、自装置の通信範囲内に存在する、前記第１無線通信端末装置の数がより少ないほど、前記第２参照信号を割り当てるＣＣＥの数をより多くする、
請求項１記載の無線通信基地局装置。
【請求項８】
前記割当手段は、システム帯域幅が広いほど、前記第２参照信号を割り当てるＣＣＥの数をより多くする、
請求項１記載の無線通信基地局装置。
【請求項９】
Ｎ本より多いアンテナを具備する無線通信基地局装置に対応する第２無線通信端末装置のみが用いる第２参照信号を、前記Ｎ本のアンテナを具備する無線通信基地局装置に対応する第１無線通信端末装置用の制御チャネルまたは前記第２無線通信端末装置用の制御チャネルが割り当てられる可能性がある複数のＣＣＥのうち、少なくとも一つのＣＣＥに割り当て、
前記第１無線通信端末装置および前記第２無線通信端末装置の双方が用いる第１参照信号をすべてのリソースブロックに配置し、前記第２参照信号を割り当てられた前記ＣＣＥに配置する、
参照信号割当方法。
【請求項１０】
Ｎ本のアンテナを具備する無線通信基地局装置に対応する第１無線通信端末装置および前記Ｎ本より多いアンテナを具備する無線通信基地局装置に対応する第２無線通信端末装置の双方が用いる第１参照信号、および、前記第２無線通信端末装置のみが用いる第２参照信号を受信する無線通信端末装置であって、
すべてのリソースブロックに配置され送信された前記第１参照信号と、前記第１無線通信端末装置用の制御チャネルまたは前記第２無線通信端末装置用の制御チャネルが割り当てられる可能性がある複数のＣＣＥのうち、少なくとも一つのＣＣＥに配置され送信された前記第２参照信号とを、受信する受信手段と、
受信された前記第１参照信号と前記第２参照信号とを用いて、受信品質を測定する測定手段と、
を具備する無線通信端末装置。
【発明の詳細な説明】
【技術分野】
【０００１】
本発明は、無線通信基地局装置および参照信号割当方法に関する。
【背景技術】
【０００２】
3GPP-LTEでは、下り回線の通信方式としてＯＦＤＭＡ（Orthogonal Frequency Division Multiple Access）が採用されている。3GPP-LTEでは、無線通信基地局装置（以下、基地局と省略する）が予め定められた通信リソースを用いて参照信号（Reference Signal：ＲＳ）を送信し、無線通信端末装置（以下、端末と省略する）は受信した参照信号を用いてチャネル推定を行ってデータを復調する（非特許文献１参照）。また、端末は、参照信号を用いて適応ＭＣＳ（Modulation and channel Coding Scheme）制御、ＭＩＭＯ（Multiple-Input Multiple-Output）伝送におけるＰＭＩ（Precoding Matrix Indicator）制御または適応スケジューリングのための受信品質の測定を行う。そして、端末は得られるＰＭＩおよび受信品質情報（ＣＱＩ：Channel Quality Indicator）を基地局へフィードバックする。
【０００３】
また、基地局が複数のアンテナを備えている場合、基地局はダイバーシチ送信を行うことが可能である。例えば、基地局は複数のアンテナから複数のデータストリームを送信（ＭＩＭＯ送信）することにより、高速伝送が可能となる。このようにしてダイバーシチ送信された信号を端末が誤りなく受信するためには、端末は、基地局での送信に用いられたアンテナ群から端末までのチャネル状態を知る必要がある。従って、基地局に備えられるすべてのアンテナからＲＳが互いに干渉なく送信される必要がある。これを実現するために3GPP-LTEでは、基地局の各アンテナから、時間領域および周波数領域で互いに異なるタイミングおよびキャリア周波数を用いてＲＳが送信される方法を採用している。
【０００４】
図１に3GPP-LTEで想定されている４アンテナの基地局（4Tx基地局）の構成を示し、図２に4Tx基地局におけるＲＳ送信方法を示す（非特許文献２参照）。ただし、図２において、縦軸（周波数領域）はサブキャリア単位であり、横軸（時間領域）はＯＦＤＭシンボル単位である。また、Ｒ０,Ｒ１,Ｒ２,Ｒ３はそれぞれアンテナ０,１,２,３（１番目,２番目,３番目,４番目のアンテナ）から送信されるＲＳを示す。また、図２において、太線の枠で囲まれた１つのブロック（周波数領域で６サブキャリア、時間領域で１４ＯＦＤＭシンボル）の単位をリソースブロック（Resource Block：ＲＢ）と呼ぶ。なお、3GPP-LTEでは、１ＲＢが１２サブキャリアで構成されるが、ここでは説明を簡略するために、１ＲＢを構成するサブキャリア数を６サブキャリアとする。また、１ＲＢを構成する１サブキャリア×１ＯＦＤＭシンボルのリソース単位をリソースエレメント（ＲＥ：Resource Element）と呼ぶ。図２から分かるように、4Tx基地局では、ＲＳ送信にかかるオーバーヘッドを最小限に抑えるため、アンテナ２（３番目のアンテナ）、アンテナ３（４番目のアンテナ）からのＲＳ（Ｒ２およびＲ３）の送信頻度を減少させている。
【０００５】
なお、図２に示すＲＳは基地局がカバーするセル内のすべての端末に対して共通であり、セル固有ＲＳ（Cell Specific Reference Signal）と呼ばれる。また、基地局では、ビームフォーミング送信のために、端末毎に固有のウェイトを乗じたＲＳ（端末固有ＲＳ（UE Specific Reference Signal））が追加で送信されることもある。
【０００６】
上記のとおり、3GPP-LTEにおける基地局のアンテナ数は最大４本であり、3GPP-LTEに対応する端末は、最大４つのアンテナを具備する基地局（4Tx基地局）から送信されたＲＳ（図２に示すＲ０〜Ｒ３）を用いて、データの復調および下り信号の品質測定を行う。
【０００７】
これに対し、3GPP-LTEの発展形であるLTE-advancedでは、最大８つのアンテナを具備する基地局（8Tx基地局）が検討されている。ただし、LTE-advancedでも、3GPP-LTEにおける基地局（4Tx基地局）のみに対応する端末が通信できるようにするために、3GPP-LTEに則した基地局を提供する必要がある。換言すれば、LTE-advancedでは、4Tx基地局のみに対応する端末（以下、LTE端末という。またはLTE-advanced端末と称してもよい）および8Tx基地局にも対応する端末（以下、LTE+端末）の双方を収容することが要求されている。
【先行技術文献】
【非特許文献】
【０００８】
【非特許文献１】3GPP TS 36.213 V8.2.0 (ftp://ftp.3gpp.org/specs/2008-03/Rel-8/36_series/36213-820.zip)
【非特許文献２】3GPP TS 36.211 V8.2.0 (ftp://ftp.3gpp.org/specs/2008-03/Rel-8/36_series/36211-820.zip)
【発明の概要】
【発明が解決しようとする課題】
【０００９】
LTE-advancedにおいて、ダイバーシチ送信された信号をLTE+端末が誤りなく受信するためには、基地局は８アンテナ分のＲＳを送信する必要がある。例えば、図３に示すように、すべてのＲＢに、８アンテナ分のＲＳであるＲ０〜Ｒ７を配置することが考えられる。これにより、LTE+端末は信号を誤りなく受信することができる。さらに、端末では、各アンテナのＣＱＩおよびＰＭＩをサブフレーム毎に得ることができるため、ＭＩＭＯ伝送によりスループットを向上することができる。
【００１０】
しかしながら、LTE端末は図２に示すＲＳ（Ｒ０〜Ｒ３）の配置位置しか把握していない。つまり、LTE端末は、LTE+端末のみで用いるＲＳ、すなわち、図３に示すＲ４〜Ｒ７の存在を知らない。そのため、LTE端末は、LTE+端末のみで用いるＲＳ（Ｒ４〜Ｒ７）が配置されたＲＥでは、データ信号が配置されたと認識して信号を受信する。このように、LTE端末とLTE+端末とが共存する場合、LTE端末は信号を正しく受信できない場合がある。その結果、LTE端末の誤り率特性およびスループットが劣化してしまう。
【００１１】
本発明の目的は、LTE端末とLTE+端末とが共存する場合でも、LTE端末のスループットが劣化することを防ぐことができる無線通信基地局装置および参照信号割当方法を提供することである。
【課題を解決するための手段】
【００１２】
本発明の無線通信基地局装置は、Ｎ本のアンテナを具備する無線通信基地局装置に対応する第１無線通信端末装置および前記Ｎ本より多いアンテナを具備する無線通信基地局装置に対応する第２無線通信端末装置の双方が用いる第１参照信号、および、前記第２無線通信端末装置のみが用いる第２参照信号を送信する無線通信基地局装置であって、前記第２参照信号を、前記第１無線通信端末装置用の制御チャネルまたは前記第２無線通信端末装置用の制御チャネルが割り当てられる可能性がある複数のＣＣＥのうち、一部のＣＣＥに割り当てる割当手段と、前記ＣＣＥに割り当てられた前記第２参照信号を送信する送信手段と、を具備する構成を採る。
【００１３】
本発明の参照信号割当方法は、Ｎ本より多いアンテナを具備する無線通信基地局装置に対応する第２無線通信端末装置のみが用いる第２参照信号を、前記Ｎ本のアンテナを具備する無線通信基地局装置に対応する第１無線通信端末装置用の制御チャネルまたは前記第２無線通信端末装置用の制御チャネルが割り当てられる可能性がある複数のＣＣＥのうち、一部のＣＣＥに割り当てるようにした。
【発明の効果】
【００１４】
本発明によれば、LTE端末とLTE+端末とが共存する場合でも、LTE端末のスループットが劣化することを防ぐことができる。
【図面の簡単な説明】
【００１５】
【図１】従来の4Tx基地局の構成を示すブロック図
【図２】従来の4Tx基地局におけるＲＳ送信方法を示す図
【図３】従来の8Tx基地局におけるＲＳ送信方法を示す図
【図４】本発明の実施の形態に係る基地局の構成を示すブロック図
【図５】本発明の実施の形態に係るLTE+端末の構成を示すブロック図
【図６】本発明の実施の形態に係るインタリーブ処理を示す図
【図７】本発明の実施の形態に係るＲＳが配置されるＲＢを示す図
【発明を実施するための形態】
【００１６】
以下、本発明の実施の形態について、添付図面を参照して詳細に説明する。以下の説明では、基地局は８本のアンテナを有し、LTE端末およびLTE+端末に対して送信データを送信する。また、１フレームは複数のサブフレームに分けられる。また、１サブフレームの複数のサブキャリアが複数のＲＢに分割される。つまり、１ＲＢは、１サブフレームの一部のサブキャリアで構成される。
【００１７】
また、以下の説明では、基地局は下り回線データおよび上り回線データのリソース割当結果を通知するための制御情報をLTE端末およびLTE+端末へ送信する。この制御情報は例えばＰＤＣＣＨ（Physical Downlink Control Channel）等の下り回線制御チャネルを用いて各端末へ送信される。ここで、各ＰＤＣＣＨは、１つまたは連続する複数のＣＣＥ（Control Channel Element）を占有する。また、複数のＣＣＥには、LTE端末用のＰＤＣＣＨまたはLTE+端末用のＰＤＣＣＨが割り当てられる可能性がある。すなわち、LTE端末用のＰＤＣＣＨおよびLTE+端末用のＰＤＣＣＨが複数のＣＣＥを共有する。また、１ＣＣＥは複数のＲＥで構成される。また、基地局は端末（LTE端末およびLTE+端末）毎にＰＤＣＣＨを生成し、制御情報の送信に必要とするＣＣＥ数に従ってＰＤＣＣＨに占有すべきＣＣＥを割り当て、割り当てたＣＣＥに対応する物理リソースに制御情報をマッピングして送信する。
【００１８】
また、基地局は１サブフレームに複数の端末（LTE端末およびLTE+端末）を割り当てるため、複数のＰＤＣＣＨを同時に送信する。このとき、基地局は、各ＰＤＣＣＨの送信先の端末を識別するために、送信先の端末ＩＤ番号でスクランブリングされたＣＲＣビットを制御情報に含めて送信する。そして、端末は、ＰＤＣＣＨが割り当てられる可能性があるＣＣＥに対して復号を行い、自端末の端末ＩＤ番号でＣＲＣビットをデスクランブリングした後にＣＲＣ判定を行う。このように、端末は、受信信号に含まれる複数のＰＤＣＣＨをブラインド復号することにより自局宛てのＰＤＣＣＨを検出する。
【００１９】
本実施の形態に係る基地局１００の構成を図４に示す。
【００２０】
基地局１００において、符号化・変調部１０１は、送信データのための符号化部１１および変調部１２を、基地局１００が通信可能な端末の数Ｎだけ備える。符号化・変調部１０１において、符号化部１１−１〜１１−Ｎは、端末１〜Ｎの送信データに対して符号化処理を行い、変調部１２−１〜１２−Ｎは、符号化後の送信データに対して変調処理を行ってデータシンボルを生成する。なお、符号化・変調部１０１は、復号部１２１−１〜１２１−Ｎから入力されるＣＱＩ情報に基づいて、符号化部１１および変調部１２それぞれの符号化率および変調方式（すなわち、ＭＣＳ）を決定する。
【００２１】
符号化・変調部１０２において、符号化部１３は、LTE+端末のみで用いるセル固有ＲＳが割り当てられるＣＣＥの位置を示す情報およびLTE+端末のみで用いるセル固有ＲＳが割り当てられるＣＣＥの数を示す情報を含むＲＳ割当情報に対して符号化処理を行い、変調部１４は、符号化後のＲＳ割当情報に対して変調処理を行ってＲＳ割当情報シンボルを生成する。ここで、基地局１００は、ＲＳ割当情報を、ＢＣＨ（Broadcast Channel）信号を用いて、基地局１００がカバーするセル内のすべてのLTE+端末に報知してもよい。また、LTE+端末のみで用いるセル固有ＲＳを割り当てるＣＣＥ、および、LTE+端末のみで用いるセル固有ＲＳを割り当てるＣＣＥの数はセル毎に異なってもよい。
【００２２】
ＲＢ割当部１０３は、復号部１２１−１〜１２１−Ｎから入力されるＣＱＩ情報に従って、データシンボルおよびＲＳ割当情報シンボルを、ＯＦＤＭシンボルを構成する各サブキャリア（すなわち、ＯＦＤＭシンボルを構成する各ＲＢ）に割り当てて多重部１０７に出力する。
【００２３】
符号化・変調部１０４は、各端末のデータ信号が割り当てられたＲＢを示すＲＢ割当情報、各端末のデータ信号に使用されたＭＣＳを示すＭＣＳ情報または各端末の再送に関する情報を示すＨＡＲＱ情報を含む制御情報のための符号化部１５および変調部１６を、基地局１００が通信可能な端末の数Ｎだけ備える。符号化・変調部１０４において、符号化部１５−１〜１５−Ｎは、端末１〜Ｎの制御情報に対して符号化処理を行い、変調部１６−１〜１６−Ｎは、符号化後の制御情報に対して変調処理を行って制御シンボルを生成する。
【００２４】
ＣＣＥ割当部１０５は、符号化・変調部１０４から入力される制御シンボル、および、LTE+端末のみで用いるセル固有ＲＳ（Ｒ４〜Ｒ７）を、複数のＣＣＥのうち、一部のＣＣＥに割り当てる。ただし、セル固有ＲＳ（Ｒ４〜Ｒ７）は、後述する配置部１０９で、シンボル列が各アンテナにマッピングされた後の各アンテナに対応するシンボル列にそれぞれ配置されるため、ＣＣＥ割当部１０５では、セル固有ＲＳ（Ｒ４〜Ｒ７）を割り当てるＣＣＥにＮｕｌｌシンボルを割り当てる。なお、ＣＣＥ割当部１０５は、各端末（LTE端末およびLTE+端末）からフィードバックされるＣＱＩに基づいて各制御情報を割り当てるＣＣＥの数を決定し、ＲＳ割当情報に基づいてセル固有ＲＳを割り当てるＣＣＥおよびＣＣＥの数を決定する。そして、ＣＣＥ割当部１０５は、各ＣＣＥに割り当てられた各シンボルをインタリーブ部１０６に出力する。
【００２５】
インタリーブ部１０６は、複数のＣＣＥにそれぞれ割り当てられた制御シンボルおよびＮｕｌｌシンボルを、複数のＲＥで構成されるＲＥグループ（ＲＥＧ：RE Group）単位でインタリーブする。そして、インタリーブ部１０６は、インタリーブ後の各シンボルを多重部１０７に出力する。また、インタリーブ部１０６は、インタリーブ後のＮｕｌｌシンボルの位置、つまり、LTE+端末のみで用いるセル固有ＲＳ（Ｒ４〜Ｒ７）が割り当てられたＣＣＥに対応するＲＥの位置を示す位置情報を配置部１０９に出力する。
【００２６】
多重部１０７は、ＲＢ割当部１０３から入力されるデータシンボルおよびＲＳ割当情報シンボルと、インタリーブ部１０６から入力される制御シンボルおよびＮｕｌｌシンボルとを時間多重する。例えば、多重部１０７は、先頭から３ＯＦＤＭシンボルに制御シンボルおよびＮｕｌｌシンボルを配置し、先頭から４ＯＦＤＭシンボル以降のＯＦＤＭシンボルにデータシンボルおよびＲＳ割当情報シンボルを配置する。多重部１０７は、多重後の各シンボルをマッピング部１０８に出力する。
【００２７】
マッピング部１０８は、多重部１０７から入力される各シンボルを、アンテナ１１３−１〜１１３−８にそれぞれマッピングする。ここで、マッピング部１０８は、LTE端末およびLTE+端末の双方で制御情報を受信可能にするために、多重部１０７から入力される制
御シンボルをアンテナ１１３−１〜１１３−４にマッピングする。アンテナ１１３−１〜１１３−４にマッピングされた制御シンボルは、例えば、ＳＴＢＣ（Space Time Block Coding）、ＳＦＴＤ（Space Frequency block coding based Transmit antenna Diversity）およびＣＤＤ（Cyclic Delay Diversity）等の送信ダイバーシチ技術を用いて送信される。また、マッピング部１０８は、復号部１２１−１〜１２１−Ｎから入力されるＰＭＩ情報に基づいて、各アンテナで用いるPrecodingベクトルを選択する。そして、マッピング部１０８は、選択されたPrecodingベクトルを、各アンテナにマッピングされたシンボルに乗算する。そして、マッピング部１０８は、各アンテナにマッピングされたシンボルを配置部１０９に出力する。
【００２８】
配置部１０９は、マッピング部１０８から入力される各アンテナにマッピングされたシンボルに、セル固有ＲＳ（Ｒ０〜Ｒ７）をそれぞれ付加する。具体的には、配置部１０９は、アンテナ１１３−１〜１１３−４にマッピングされたシンボルにおいて、LTE端末およびLTE+端末の双方で用いるセル固有ＲＳ（Ｒ０〜Ｒ３）をすべてのＲＢに配置する。一方、配置部１０９は、アンテナ１１３−５〜１１３−８にマッピングされたシンボルにおいて、インタリーブ部１０６から入力される位置情報に基づいて、LTE+端末のみで用いるセル固有ＲＳ（Ｒ４〜Ｒ７）を、LTE+端末のみで用いるセル固有ＲＳが割り当てられたＣＣＥに対応するＲＥに配置する。具体的には、配置部１０９は、LTE端末のみで用いるセル固有ＲＳ（Ｒ４〜Ｒ７）を、Ｎｕｌｌシンボルが割り当てられているＲＥに配置する。また、配置部１０９は、端末固有ＲＳを、LTE+端末宛ての送信データが割り当てられたＲＢに配置する。例えば、配置部１０９は、Ｒ４〜Ｒ７を端末固有ＲＳとして用いる。なお、配置部１０９は、端末固有のウェイトを乗じたＲ４〜Ｒ７を用いてもよい。そして、配置部１０９は、ＲＳ配置後のシンボル列をＩＦＦＴ部１１０−１〜１１０−８に出力する。
【００２９】
ＩＦＦＴ部１１０−１〜１１０−８、ＣＰ（Cyclic Prefix）付加部１１１−１〜１１１−８および無線送信部１１２−１〜１１２−８はアンテナ１１３−１〜１１３−８にそれぞれ対応して備えられる。
【００３０】
ＩＦＦＴ部１１０−１〜１１０−８は、シンボルが割り当てられた複数のＲＢを構成する複数のサブキャリアに対してＩＦＦＴを行って、マルチキャリア信号であるＯＦＤＭシンボルを生成する。そして、ＩＦＦＴ部１１０−１〜１１０−８は、生成したＯＦＤＭシンボルをＣＰ付加部１１１−１〜１１１−８にそれぞれ出力する。
【００３１】
ＣＰ付加部１１１−１〜１１１−８は、ＯＦＤＭシンボルの後尾部分と同じ信号をＣＰとしてＯＦＤＭシンボルの先頭に付加する。
【００３２】
無線送信部１１２−１〜１１２−８は、ＣＰ付加後のＯＦＤＭシンボルに対しＤ／Ａ変換、増幅およびアップコンバート等の送信処理を行ってアンテナ１１３−１〜１１３−８から各端末へ送信する。これにより、基地局１００は、ＣＣＥに割り当てられた、LTE+端末のみで用いるセル固有ＲＳを含む、複数のデータストリームをアンテナ１１３−１〜１１３−８から送信する。
【００３３】
一方、無線受信部１１４は、最大Ｎ個の端末から同時に送信されたＮ個の信号をアンテナ１１３−１〜１１３−８を介して受信し、これらの信号に対しダウンコンバート、Ａ／Ｄ変換等の受信処理を行う。
【００３４】
ＣＰ除去部１１５は、受信処理後の信号からＣＰを除去する。
【００３５】
ＦＦＴ（Fast Fourier Transform）部１１６は、ＣＰ除去後の信号に対してＦＦＴを行
って、周波数領域で多重された端末毎の信号を得る。ここで、端末毎の信号にはそれぞれ、各端末のデータ信号と、各端末のＣＱＩ情報およびＰＭＩ情報を含む制御情報とが含まれている。
【００３６】
分離部１１７は、ＦＦＴ部１１６から入力される各端末の信号を、各端末のデータ信号および制御情報に分離する。そして、分離部１１７は、端末１〜Ｎのデータ信号を復調部１１８−１〜１１８−Ｎにそれぞれ出力し、端末１〜Ｎの制御情報を復調部１２０−１〜１２０−Ｎにそれぞれ出力する。
【００３７】
基地局１００は、復調部１１８−１〜１１８−Ｎ、復号部１１９−１〜１１９−Ｎ、復調部１２０−１〜１２０−Ｎおよび復号部１２１−１〜１２１−Ｎを、基地局１００が通信可能な端末の数Ｎだけ備える。
【００３８】
復調部１１８−１〜１１８−Ｎは、分離部１１７から入力されるデータ信号に対して復調処理を行い、復号部１１９−１〜１１９−Ｎは、復調後のデータ信号に対して復号処理を行う。これにより、端末毎の受信データが得られる。
【００３９】
復調部１２０−１〜１２０−Ｎは、分離部１１７から入力される制御情報に対して復調処理を行い、復号部１２１−１〜１２１−Ｎは、復調後の制御情報に対して復号処理を行う。そして、復号部１２１−１〜１２１−Ｎは、制御情報のうちＣＱＩ情報およびＰＭＩ情報を符号化・変調部１０１、ＲＢ割当部１０３およびマッピング部１０８に出力する。
【００４０】
次に、本実施の形態に係る端末２００（LTE+端末）について説明する。本実施の形態に係る端末２００の構成を図５に示す。
【００４１】
図５に示す端末２００において、無線受信部２０２−１〜２０２−８、ＣＰ除去部２０３−１〜２０３−８およびＦＦＴ部２０４−１〜２０４−８は、アンテナ２０１−１〜２０１−８にそれぞれ対応して備えられる。
【００４２】
無線受信部２０２−１〜２０２−８は、基地局１００（図４）から送信されたＯＦＤＭシンボルをアンテナ２０１−１〜２０１−８を介して受信し、これらのＯＦＤＭシンボルに対しダウンコンバート、Ａ／Ｄ変換等の受信処理を行う。
【００４３】
ＣＰ除去部２０３−１〜２０３−８は、受信処理後のＯＦＤＭシンボルからＣＰを除去する。
【００４４】
ＦＦＴ部２０４−１〜２０４−８は、ＣＰ除去後のＯＦＤＭシンボルに対してＦＦＴを行って、周波数領域の信号を得る。そして、ＦＦＴ部２０４−１〜２０４−８は、周波数領域の信号を、ＲＳ抽出部２０５、空間受信処理部２０７およびＣＣＥ抽出部２１４に出力する。
【００４５】
ＲＳ抽出部２０５は、ＦＦＴ部２０４−１〜２０４−８から入力される信号からセル固有ＲＳ（Ｒ０〜Ｒ３）および端末固有ＲＳ（端末固有のウェイトを乗じたＲ４〜Ｒ７）を抽出する。そして、ＲＳ抽出部２０５は、セル固有ＲＳ（Ｒ０〜Ｒ３）をチャネル推定部２０６および測定部２１５に出力し、端末固有ＲＳをチャネル推定部２０６に出力する。
【００４６】
チャネル推定部２０６は、ＲＳ抽出部２０５から入力されるセル固有ＲＳおよび端末固有ＲＳを用いてチャネル推定を行い、チャネル推定結果を空間受信処理部２０７に出力する。
【００４７】
空間受信処理部２０７は、チャネル推定部２０６から入力されるチャネル推定結果を用いて、ＦＦＴ部２０４−１〜２０４−８からそれぞれ入力される信号、つまり、アンテナ２０１−１〜２０１−８でそれぞれ受信した信号に対して、空間分離処理を行う。そして、空間受信処理部２０７は、分離されたデータストリームのうち、制御情報を復調部２０８に出力し、データ信号を復調部２１０に出力し、ＲＳ割当情報を復調部２１２に出力する。
【００４８】
復調部２０８は、空間受信処理部２０７から入力される制御情報に対して復調処理を行い、復号部２０９は、復調後のデータ信号に対して復号処理を行う。これにより、制御情報が得られる。
【００４９】
復調部２１０は、空間受信処理部２０７から入力されるデータ信号に対して復調処理を行い、復号部２１１は、復調後のデータ信号に対して復号処理を行う。これにより、受信データが得られる。
【００５０】
復調部２１２は、空間受信処理部２０７から入力されるＲＳ割当情報に対して復調処理を行い、復号部２１３は、復調後のＲＳ割当情報に対して復号処理を行う。そして、復号部２１３は、復号後のＲＳ割当情報をＣＣＥ抽出部２１４に出力する。
【００５１】
一方、ＣＣＥ抽出部２１４は、復号部２１３から入力されるＲＳ割当情報に基づいて、セル固有ＲＳ（Ｒ４〜Ｒ７）が配置されたＣＣＥを特定し、ＦＦＴ部２０４−１〜２０４−８から入力される信号からセル固有ＲＳ（Ｒ４〜Ｒ７）を抽出する。そして、ＣＣＥ抽出部２１４は、セル固有ＲＳ（Ｒ４〜Ｒ７）を測定部２１５に出力する。なお、端末２００は、ＲＳ割当情報が含まれるＢＣＨ信号を基地局１００から受信することで、ＲＳ割当情報を取得してもよい。
【００５２】
測定部２１５は、ＣＣＥ抽出部２１４から入力されるセル固有ＲＳ（Ｒ４〜Ｒ７）およびＲＳ抽出部２０５から入力されるセル固有ＲＳ（Ｒ０〜Ｒ３）を用いて、アンテナ２０１−１〜２０１−８毎のＣＱＩの測定、および、良好な受信品質を得るためのＰＭＩの推定を行う。そして、測定部２１５は、測定したＣＱＩを示すＣＱＩ情報および推定したＰＭＩを示すＰＭＩ情報を制御情報として符号化部２１８に出力する。
【００５３】
符号化部２１６は、送信データに対して符号化処理を行い、変調部２１７は、符号化後の送信データに対して変調処理を行ってデータシンボルを生成する。そして、変調部２１７は、生成したデータシンボルを多重部２２０に出力する。
【００５４】
符号化部２１８は、測定部２１５から入力されるＣＱＩ情報およびＰＭＩ情報を含む制御情報に対して符号化処理を行い、変調部２１９は、符号化後の制御情報に対して変調処理を行って制御情報シンボルを生成する。そして、変調部２１９は、生成した制御情報シンボルを多重部２２０に出力する。
【００５５】
多重部２２０は、変調部２１７から入力されるデータシンボルおよび変調部２１９から入力される制御情報シンボルを多重して、多重後の信号をＩＦＦＴ部２２１に出力する。
【００５６】
ＩＦＦＴ部２２１は、多重部２２０から入力される信号が割り当てられた複数のサブキャリアに対してＩＦＦＴを行って、ＩＦＦＴ後の信号をＣＰ付加部２２２に出力する。
【００５７】
ＣＰ付加部２２２は、ＩＦＦＴ部２２１から入力される信号の後尾部分と同じ信号をＣＰとして信号の先頭に付加する。
【００５８】
無線送信部２２３は、ＣＰ付加後の信号に対しＤ／Ａ変換、増幅およびアップコンバート等の送信処理を行ってアンテナ２０１−１から基地局１００（図４）へ送信する。
【００５９】
次に、本実施の形態に係る基地局１００（図４）におけるＲＳ送信処理、および、LTE端末および端末２００（LTE+端末）におけるＲＳ受信処理の詳細について説明する。
【００６０】
以下の説明では、図６に示すように、各制御情報が割り当てられるＣＣＥの総数をＣＣＥ０〜ＣＣＥ５の６個とする。また、１ＣＣＥは３６個のＲＥで構成され、１ＲＥＧは４個のＲＥで構成される。つまり、１ＣＣＥは９個のＲＥＧで構成される。
【００６１】
また、以下の説明では、図７に示すように、１サブフレームの複数のサブキャリアを６サブキャリアずつ均等に分割して構成される複数のＲＢのうち、ＲＢ０〜ＲＢ７の８個のＲＢ（４８サブキャリア）を一例に挙げて説明する。また、図７に示すように、１ＲＢは６サブキャリア×１サブフレームで構成される。また、図７に示すように、複数のＯＦＤＭシンボルのうち、先頭の３ＯＦＤＭシンボルを、制御情報が割り当てられるＰＤＣＣＨが配置される領域（ＰＤＣＣＨ配置領域）とする。また、先頭から４ＯＦＤＭシンボル以降のＯＦＤＭシンボルを、データ信号が割り当てられるＰＤＳＣＨ（Physical Downlink Shared Channel）が配置される領域（ＰＤＳＣＨ配置領域）とする。ただし、ＰＤＣＣＨ配置領域は、先頭の３ＯＦＤＭシンボルのうち、セル固有ＲＳ（Ｒ０〜Ｒ３）が配置されるＲＥ以外のＲＥで構成される。また、ＰＤＣＣＨ領域は、ＲＥＧ単位で構成される。具体的には、先頭のＯＦＤＭシンボルおよび２番目のＯＦＤＭシンボルでは、２サブキャリア×２ＯＦＤＭシンボルからなる４ＲＥを１ＲＥＧとする。例えば、図７に示すように、サブキャリア番号０，１の２サブキャリア×２ＯＦＤＭシンボルからなる４ＲＥを１ＲＥＧとし、サブキャリア番号３，４の２サブキャリア×２ＯＦＤＭシンボルからなる４ＲＥを１ＲＥＧとする。サブキャリア番号６〜４７のサブキャリアについても同様である。また、先頭から３番目のＯＦＤＭシンボルでは、４サブキャリア×１ＯＦＤＭシンボルからなる４ＲＥを１ＲＥＧとする。例えば、図７に示すように、先頭から３番目のＯＦＤＭシンボルにおいて、サブキャリア番号０〜３の４サブキャリアからなる４ＲＥを１ＲＥＧとし、サブキャリア番号４〜７の４サブキャリアからなる４ＲＥを１ＲＥＧとする。サブキャリア番号８〜４７のサブキャリアについても同様である。また、基地局１００は、LTE+端末をＲＢ２、ＲＢ５およびＲＢ７に割り当てる。つまり、制御情報に含まれるＲＢ割当情報には、LTE+端末が割り当てられるＲＢとしてＲＢ２、ＲＢ５およびＲＢ７が示されている。
【００６２】
図６に示すように、基地局１００のＣＣＥ割当部１０５は、制御情報０（ＰＤＣＣＨ０）をＣＣＥ０に割り当て、制御情報１（ＰＤＣＣＨ１）をＣＣＥ１およびＣＣＥ２に割り当て、制御情報２（ＰＤＣＣＨ２）をＣＣＥ３およびＣＣＥ４に割り当てる。また、ＣＣＥ割当部１０５は、LTE+端末のみで用いるセル固有ＲＳ（Ｒ４〜Ｒ７）をＣＣＥ５に割り当てる。具体的には、ＣＣＥ割当部１０５は、セル固有ＲＳ（Ｒ４〜Ｒ７）に対応するＮｕｌｌシンボルをＣＣＥ５に割り当てる。
【００６３】
次いで、インタリーブ部１０６は、制御情報０〜２およびＮｕｌｌシンボルが割り当てられたＣＣＥ０〜ＣＣＥ５を、ＲＥＧ単位でインタリーブする。具体的には、図６に示すように、インタリーブ部１０６は、ＣＣＥ０〜ＣＣＥ５をそれぞれ構成する９個のＲＥＧを周波数領域で分散させる。これにより、１つのＣＣＥは周波数領域全体に分散される。
【００６４】
マッピング部１０８は、インタリーブ部１０６でインタリーブされたＣＣＥに割り当てられた各シンボルを図７に示すＰＤＣＣＨ領域の各ＲＥにそれぞれマッピングする。具体的には、マッピング部１０８は、図６に示すインタリーブ後のＣＣＥに割り当てられた各シンボル、つまり、ＲＥＧ単位で周波数領域に分散された各シンボルを、図７に示すＰＤ
ＣＣＨ領域にＲＥＧ単位で順番にマッピングする。例えば、マッピング部１０８は、ＰＤＣＣＨ配置領域において、セル固有ＲＳ（Ｒ４〜Ｒ７）に対応するＮｕｌｌシンボルを、図７に示すセル固有ＲＳ（Ｒ４〜Ｒ７）が配置されるＲＥＧにマッピングする。図７に示すように、ＣＣＥ５に割り当てられたＮｕｌｌシンボル（図７に示すセル固有ＲＳ（Ｒ４〜Ｒ７））は、周波数帯域全体に分散したＲＥにマッピングされる。
【００６５】
そして、配置部１０９は、ＰＤＳＣＨ配置領域において、LTE端末およびLTE+端末の双方で用いるセル固有ＲＳ（Ｒ０〜Ｒ３）をＲＢ０〜ＲＢ７内の予め設定されたＲＥに配置し、ＰＤＣＣＨ配置領域において、LTE+端末のみで用いるセル固有ＲＳ（Ｒ４〜Ｒ７）を、ＮｕｌｌがマッピングされたＲＥに配置する。また、ＲＢ２，ＲＢ５およびＲＢ７にLTE+端末が割り当てられるため、配置部１０９は、図７に示すように、ＰＤＳＣＨ配置領域において、端末固有ＲＳ（Ｒ４〜Ｒ７）を、ＲＢ２，ＲＢ５およびＲＢ７内の予め設定されたＲＥにそれぞれ配置する。
【００６６】
このように、基地局１００は、LTE+端末のみで用いるセル固有ＲＳ（Ｒ４〜Ｒ７）を、LTE端末用のＰＤＣＣＨまたはLTE+端末用のＰＤＣＣＨが割り当てる可能性がある複数のＣＣＥ（図６ではＣＣＥ０〜ＣＣＥ５）のうち、一部のＣＣＥ（図６ではＣＣＥ５）に割り当てる。また、図７に示すように、LTE+端末のみで用いるセル固有ＲＳ（Ｒ４〜Ｒ７）は周波数領域全体に分散して配置される。また、図７に示すように、LTE端末およびLTE+端末の双方で用いるセル固有ＲＳ（Ｒ０〜Ｒ３）はすべてのＲＢに配置される。
【００６７】
これにより、端末２００（LTE+端末）は、ＰＤＳＣＨ配置領域のすべてのＲＢに配置されたセル固有ＲＳ（Ｒ０〜Ｒ３）、および、ＰＤＣＣＨ配置領域に配置され、周波数帯域全体に分散して配置されたセル固有ＲＳ（Ｒ４〜Ｒ７）を用いてＣＱＩ測定およびＰＭＩ推定を行うことができる。また、LTE端末は、ＰＤＳＣＨ配置領域のすべてのＲＢに配置されたセル固有ＲＳ（Ｒ０〜Ｒ３）を用いてＣＱＩ測定およびＰＭＩ推定を行うことができる。そして、端末２００（LTE+端末）およびLTE端末は、得られたＣＱＩおよびＰＭＩを基地局１００にそれぞれフィードバックする。また、基地局１００は、フィードバックされたＣＱＩに基づく適応ＭＣＳ制御を行い、さらに、フィードバックされたＰＭＩを用いて送信データをＭＩＭＯ送信する。これにより、基地局１００は、端末２００（LTE+端末）およびLTE端末からの十分な精度のＣＱＩおよびＰＭＩを用いて適応ＭＣＳ制御およびＭＩＭＯ送信を行うことができる。このため、端末２００（LTE+端末）およびLTE端末が共存する場合でも、端末２００（LTE+端末）およびLTE端末のスループットの劣化を防ぐことができる。なお、ＣＣＥは、図７に示すように、サブフレームの先頭にのみ存在し、また、周波数帯域全体に渡って分散して配置されるため、ＣＣＥに割り当てられるＲ４〜Ｒ７の時間間隔および周波数間隔は、すべてのＲＢに配置されるＲ０〜Ｒ３よりも長くなる。しかし、LTE+端末が、ＣＣＥに割り当てられるＲ４〜Ｒ７をＣＱＩ測定およびＰＭＩ推定のみに用いて、データ復調には端末固有ＲＳを用いることにより、ＣＱＩ測定およびＰＭＩ推定の精度の劣化、および、データ復調性能の劣化を防ぐことができる。
【００６８】
ここで、基地局１００がLTE+端末のみで用いるセル固有ＲＳ（Ｒ４〜Ｒ７）をＣＣＥに割り当てて送信するため、制御情報（ＰＤＣＣＨ）に割り当てることができるＣＣＥの数が減少する。しかし、８本のアンテナを用いた高速伝送（ＭＩＭＯ送信）を行うLTE+端末では、高精度の空間チャネル分離処理を行う必要があるので、LTE+端末は受信品質が良好な環境（例えば、セル半径の小さいマイクロセル内）に位置することが想定される。また、受信品質が良好である端末に対してはＭＣＳレベルが高いＭＣＳを設定しても所要受信品質を満たすことができる。よって、基地局１００では、LTE+端末のみで用いるセル固有ＲＳを、より少ないＣＣＥ（例えば、１つのＣＣＥ）に割り当てて送信しても、LTE+端末における所要受信品質を満たすことができる。よって、受信品質が良好であるLTE+端末宛ての制御情報（ＰＤＣＣＨ）に割り当てるＣＣＥの数は少なくなる。つまり、LTE+端末の
みで用いるセル固有ＲＳのＣＣＥへの割り当てによる、制御情報（ＰＤＣＣＨ）に割当可能なＣＣＥ数の減少が通信システムに与える影響は小さい。
【００６９】
また、図７に示すように、ＰＤＳＣＨ配置領域では、LTE+端末のみで用いるセル固有ＲＳ（Ｒ４〜Ｒ７）が配置されず、LTE端末およびLTE+端末の双方で用いるセル固有ＲＳ（Ｒ０〜Ｒ３）のみが配置される。すなわち、ＰＤＳＣＨ配置領域の各ＲＢでは、セル固有ＲＳの配置が3GPP-LTE（図２）と同一となる。よって、ＰＤＳＣＨ配置領域において、LTE端末を割り当てるＲＢに対するスケジューリングの制約が無くなり、基地局１００は、LTE端末をすべてのＲＢに割り当てることが可能となる。
【００７０】
さらに、端末２００（LTE+端末）のデータをＲＢに割り当てる場合、基地局１００は、データ復調用の端末固有ＲＳ（例えば、端末固有のウェイトを乗じたＲ４〜Ｒ７）を、データを割り当てたＲＢに配置して送信する。すなわち、基地局１００は、端末固有ＲＳを用いることで、いずれのＲＢでもLTE+端末宛てのデータ信号を割り当てることができる。よって、ＰＤＳＣＨ配置領域において、LTE端末と同様、LTE+端末を割り当てるＲＢに対するスケジューリングの制約が無くなり、基地局１００は、LTE+端末をすべてのＲＢに割り当てることが可能となる。よって、LTE端末およびLTE+端末の双方の周波数スケジューリング効果を向上させることができる。
【００７１】
ただし、端末固有ＲＳが送信されるＲＢは基地局１００がどのＲＢにLTE+端末を割り当てるかによって変わり、各LTE+端末では自端末に割り当てられたＲＢしか基地局１００から通知されない。このため、各LTE+端末は、自端末に割り当てられたＲＢの端末固有ＲＳしか存在を知らない。つまり、他のLTE+端末は、端末固有ＲＳを用いてＣＱＩ測定およびＰＭＩ推定を行うことができない。しかし、本実施の形態では、ＰＤＣＣＨ配置領域のＣＣＥに割り当てられたセル固有ＲＳが送信されるため、他のLTE+端末は端末固有ＲＳを知らなくても、ＣＱＩ測定およびＰＭＩ推定を行うことができる。
【００７２】
一方、基地局１００からの信号を受信したLTE端末は、図７に示すセル固有ＲＳ（Ｒ０〜Ｒ３）を用いてチャネル推定を行う。そして、LTE端末は、推定したチャネル推定結果を用いて空間受信処理を行うことでＰＤＣＣＨ領域に配置されたシンボル列を得る。そして、LTE端末は、基地局１００のインタリーブ部１０６と同様のインタリーブパターンを用いて、シンボル列をデインタリーブし、図６に示すＣＣＥを構成する。また、LTE端末は、１つまたは複数のいずれかのＣＣＥで構成される制御情報に対して復号処理を行う。
【００７３】
そして、LTE端末は、受信信号に含まれる複数の制御情報をブラインド復号することにより自端末宛ての制御情報を検出する。ここで、LTE端末は、自端末宛ての制御情報ではないと判定した制御情報を破棄する。すなわち、LTE端末は、図６に示すＣＣＥ５に割り当てられた、LTE+端末のみで用いるセル固有ＲＳ（Ｒ４〜Ｒ７）を破棄する。よって、基地局１００がセル固有ＲＳ（Ｒ４〜Ｒ７）をＣＣＥに割り当てる場合でも、LTE端末では、LTE+端末のみで用いるセル固有ＲＳが割り当てられたＣＣＥの存在を知らなくても、誤って自端末宛ての制御情報として受信することが無いため、誤り率特性の劣化を防ぐことができる。
【００７４】
また、端末２００（LTE+端末）も、LTE端末と同様にして、ブラインド判定を行うことでＣＣＥに割り当てられた自端末宛ての制御情報を得る。ただし、端末２００（LTE+端末）は、基地局１００から送信されるＲＳ割当情報に基づいて、図６に示すＣＣＥ５が配置されているＲＥを特定し、特定したＲＥからセル固有ＲＳ（Ｒ４〜Ｒ７）を抽出する。そして、端末２００（LTE+端末）は、抽出したセル固有ＲＳ（Ｒ４〜Ｒ７）およびすべてのＲＢに配置されたセル固有ＲＳ（Ｒ０〜Ｒ３）を用いてＣＱＩ測定およびＰＭＩ推定を行う。
【００７５】
このように、本実施の形態によれば、LTE+端末のみで用いるセル固有ＲＳを、LTE端末用のＰＤＣＣＨまたはLTE+端末用のＰＤＣＣＨが割り当てられる可能性がある複数のＣＣＥのうち、一部のＣＣＥに割り当てる。これにより、データ信号を割り当てるすべてのＲＢでは、LTE端末およびLTE+端末の双方で用いるセル固有ＲＳのみが配置されるため、基地局は、LTE端末宛てのデータ信号をすべてのＲＢに割り当てることができる。また、LTE端末は、ブラインド判定を行うことで、ＣＣＥに割り当てられたLTE+端末のみで用いるセル固有ＲＳを自端末宛ての制御情報として検出せずに破棄する。このため、LTE端末は、LTE+端末のみで用いるセル固有ＲＳを自端末宛ての制御情報として誤って受信することが無いため、誤り率特性の劣化を防止することができる。よって、本実施の形態では、LTE端末とLTE+端末とが共存する場合でも、LTE端末のスループットが劣化することを防ぐことができる。
【００７６】
また、本実施の形態では、LTE+端末宛てのデータ信号をＲＢに割り当てる場合、基地局は端末固有ＲＳをＲＢに配置する。これにより、基地局は、すべてのＲＢにおいて、LTE+端末宛てのデータ信号を割り当てることができるため、周波数スケジューリング効果を向上させることができる。
【００７７】
また、本実施の形態では、LTE端末およびLTE+端末の双方で用いるセル固有ＲＳがすべてのＲＢに配置され、かつ、LTE+端末のみで用いるセル固有ＲＳが、周波数領域全体に分散して配置されたＣＣＥに対応するＲＥに配置される。これにより、LTE端末およびLTE+端末は、すべての周波数帯域におけるＣＱＩ測定およびＰＭＩ推定を精度良く行うことができる。
【００７８】
なお、本実施の形態では、基地局がLTE+端末のみで用いるセル固有ＲＳをＣＣＥに割り当てる場合について説明した。しかし、本発明では、基地局がLTE+端末のみで用いるセル固有ＲＳを割り当てるリソースはＣＣＥに限らず、LTE端末用の制御チャネルおよびLTE+端末用の制御チャネルの双方で用いる制御チャネル用リソースであればよい。例えば、基地局は、LTE+端末のみで用いるセル固有ＲＳをＰＨＩＣＨ（Physical Hybrid-ARQ Indicator Channel、またはＡＣＫ／ＮＡＣＫチャネルという）用リソースに割り当ててもよい。
【００７９】
また、本発明では、基地局は、LTE+端末のみで用いるセル固有ＲＳを、複数のＣＣＥ（例えば、図６に示すＣＣＥ０〜ＣＣＥ５）においてサブフレーム毎に異なるＣＣＥに割り当ててもよい。これにより、LTE+端末のみで用いるセル固有ＲＳが配置されるＲＥがサブフレーム毎に変化するため、周波数領域におけるセル固有ＲＳの配置密度を周波数帯域全体に渡って均一にすることができる。
【００８０】
また、本実施の形態では、基地局は、LTE+端末のみで用いるセル固有ＲＳの代わりにＮｕｌｌシンボルをＣＣＥに割り当て、Ｎｕｌｌシンボルが割り当てられたＣＣＥをインタリーブし、物理リソースにマッピングした後に、セル固有ＲＳをＣＣＥに対応するＲＥに配置する場合について説明した。しかし、本発明では、基地局は、ＣＣＥにLTE+端末のみで用いるセル固有ＲＳを直接割り当て、セル固有ＲＳが割り当てられたＣＣＥをインタリーブし、物理リソースにマッピングしてもよい。この場合でも、本実施の形態と同様の効果を得ることができる。
【００８１】
また、本発明では、基地局がLTE+端末のみで用いるセル固有ＲＳを割り当てるＣＣＥの数を、基地局の通信範囲内（すなわちセル内）に存在する、LTE端末の数、または、LTE端末の数とLTE+端末の数との比に応じて変化させてもよい。例えば、LTE端末の数がLTE+端末の数よりも多い場合、より多くのＣＣＥをＰＤＣＣＨの送信に用いる必要があるため、
基地局はLTE+端末のみで用いるセル固有ＲＳに割り当てるＣＣＥの数を少なくする。一方、LTE端末の数がLTE+端末の数以下の場合、基地局はLTE+端末のみで用いるセル固有ＲＳに割り当てるＣＣＥの数を多くする。または、基地局は、自局の通信範囲内に存在する、LTE端末の数がより少ないほど、LTE+端末のみで用いるセル固有ＲＳを割り当てるＣＣＥの数をより多くしてもよい。また、基地局は、自局の通信範囲内に存在する、LTE+端末の数がより少ないほど、LTE+端末のみで用いるセル固有ＲＳを割り当てるＣＣＥの数をより少なくしてもよく、さらに、８アンテナ送信するLTE+端末が存在しない場合には、LTE+端末のみで用いるセル固有ＲＳに割り当てるＣＣＥの数を０にする。このように、基地局がLTE端末の数およびLTE+端末の数に応じて、LTE+端末のみで用いるセル固有ＲＳに割り当てるＣＣＥの数を制御する。これにより、基地局がLTE+端末のみで用いるセル固有ＲＳをＣＣＥに割り当てる場合でも、制御情報を割り当てたＰＤＣＣＨに用いるＣＣＥが不足する場合がなくなり、かつ、ＣＣＥが余っている場合にはLTE+端末のみで用いるセル固有ＲＳに割り当てるＣＣＥを最大限確保することで、ＣＱＩ測定およびＰＭＩ推定の精度を向上することができる。
【００８２】
また、１ＣＣＥはシステム帯域によらず同一のＲＥ数（例えば、３６ＲＥ）で構成され、周波数帯域全体に分散して配置される。よって、システム帯域幅が広いほど、１ＣＣＥを構成するＲＥＧが配置される周波数間隔はより広くなる。そこで、本発明では、基地局は、システム帯域幅が広いほど、LTE+端末のみで用いるセル固有ＲＳを割り当てるＣＣＥの数を多くしてもよい。これにより、システム帯域幅によらず十分に狭い周波数間隔でセル固有ＲＳが配置されるため、LTE+端末では、良好なＣＱＩ測定およびＰＭＩ推定の精度を得ることができる。
【００８３】
また、本発明では、基地局は、例えばセル環境に応じて、LTE+端末のみで用いるセル固有ＲＳを割り当てるＣＣＥの数を変化させる際、LTE+端末のみで用いるセル固有ＲＳを割り当てるＣＣＥの数を変更したことを示す情報を、ＢＣＨ信号を用いてすべてのLTE+端末に報知してもよい。ただし、基地局とLTE+端末との間で、LTE+端末のみで用いるセル固有ＲＳを割り当てるＣＣＥの数とそのＣＣＥに対応するＲＥの位置との対応付けは共有されている。これにより、基地局は、LTE+端末のみで用いるセル固有ＲＳを割り当てるＣＣＥの数を変更する度にセル固有ＲＳが配置されるＲＥの位置をLTE+端末に通知することなく、セル環境に応じてＣＣＥの数を変更することができる。また、基地局は、LTE+端末のみで用いるセル固有ＲＳを割り当てるＣＣＥの数を変更したことを示す情報を、ＲＲＣ（Radio Resource Control）シグナリングを用いてLTE+端末に個別に通知してもよい。
【００８４】
また、上記実施の形態では、LTE端末およびLTE+端末が共存する通信システムについて説明した。しかし、本発明は、LTE端末およびLTE+端末が共存する通信システムに限らず、例えば、Ｎ本のアンテナを具備する基地局のみに対応する端末、および、Ｎ本より多いアンテナを具備する基地局にも対応する端末が共存する通信システムに対して適用することができる。また、本発明は、例えば、通信システムＡで動作する端末１、および、端末１が動作する通信システムＡよりも前のバージョンの通信システムＢでのみ動作する端末２が共存する場合でも適用することができる。
【００８５】
また、上記実施の形態では、１サブフレームの複数のサブキャリアを８個のＲＢに分ける場合について説明した。しかし、本発明では、１サブフレームの複数のサブキャリアを分けるＲＢ数は８個に限定されない。
【００８６】
また、端末はUE、基地局はNode B、サブキャリアはトーンと称されることもある。また、ＣＰはガードインターバル（Guard Interval；ＧＩ）と称されることもある。また、セル固有ＲＳは共通ＲＳと称されることもある。また、参照信号はパイロット信号と称されることもある。また、サブフレームはスロットと称されることもある。
【００８７】
また、アンテナはアンテナポート（antenna port）と称されることもある。なお、複数の物理アンテナを１つのアンテナポートとして用いてもよい。アンテナポート（antenna port）とは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。例えば3GPP-LTEにおいては、アンテナポートが何本の物理アンテナから構成されるかは規定されず、基地局が異なる参照信号（Reference signal）を送信できる最小単位として規定されている。また、アンテナポートはプリコーディングベクトル（Precoding vector）の重み付けを乗算する最小単位として規定されることもある。例えば、８本の物理アンテナ（物理アンテナ０〜７）を具備する基地局は、物理アンテナ０，４では、Ｒ０に重み付け（例えば、重み係数（１，１））をかけて送信し、Ｒ４にＲ０の重み付けと直交する重み付け（例えば、重み係数（１，−１））をかけて送信する。同様に、物理アンテナ１，５では、Ｒ１に重み付け（例えば、重み係数（１，１））をかけて送信し、Ｒ５にＲ１の重み付けと直交する重み付け（例えば、重み係数（１，−１））をかけて送信する。また、物理アンテナ２，６では、Ｒ２に重み付け（例えば、重み係数（１，１））をかけて送信し、Ｒ６にＲ２の重み付けと直交する重み付け（例えば、重み係数（１，−１））をかけて送信する。また、物理アンテナ３，７では、Ｒ３に重み付け（例えば、重み係数（１，１））をかけて送信し、Ｒ７にＲ１の重み付けと直交する重み付け（例えば、重み係数（１，−１））をかけて送信する。これにより、LTE+端末は、Ｒ０およびＲ４を用いて、物理アンテナ０，４から自端末までのそれぞれの伝搬路を分離してチャネル推定を行うことができる。同様に、LTE+端末は、Ｒ１およびＲ５を用いて、物理アンテナ１，５からLTE+端末までのそれぞれの伝搬路を分離してチャネル推定を行うことができ、Ｒ２およびＲ６を用いて、物理アンテナ２，６からLTE+端末までのそれぞれの伝搬路を分離してチャネル推定を行うことができ、Ｒ３およびＲ７を用いて、物理アンテナ３，７からLTE+端末までのそれぞれの伝搬路を分離してチャネル推定を行うことができる。すなわち、基地局は、２本の物理アンテナから、互いに直交する重み付けがかけられた２つのセル固有ＲＳを送信する。本発明では、このようなＲＳ送信方法を用いる場合でも、上記実施の形態と同様の効果を得ることができる。
【００８８】
また、上記実施の形態では、LTE+端末が高次ＭＩＭＯ（８アンテナＭＩＭＯ）を用いる場合について説明したが、これに限らず、受信側（LTE+端末）で3GPP-LTEよりも多くのアンテナ用の参照信号を受信する場合、例えば、複数基地局から送信される参照信号を受信する動作に対しても本発明を適用することができる。例えば、上記実施の形態では１つの基地局が８アンテナを構成したのに対し、複数の基地局で８アンテナを構成する場合でも本発明を適用することができる。また、上記実施の形態では、3GPP-LTEを４アンテナとして、高次ＭＩＭＯを、3GPP-LTEに対してさらに４アンテナ追加して合計８アンテナとした場合を一例として示した。しかし、本発明は、これに限らず、3GPP-LTEを２アンテナとし、高次ＭＩＭＯを、3GPPLTEに対してさらに２アンテナ追加して合計４アンテナとしてもよい。または、上記の双方の組み合わせとしてもよく、3GPP-LTEを２アンテナまたは４アンテナとし、高次ＭＩＭＯを、3GPP-LTEに対して２アンテナ追加または４アンテナ追加としてもよい。または、3GPP-LTEを２アンテナとし、高次ＭＩＭＯを3GPPLTEに対してさらに６アンテナ追加して合計８アンテナとしてもよい。
【００８９】
また、アンテナポートの概念を用いる場合には、実際の物理アンテナが８本だとしても、3GPP-LTE向けのセル固有ＲＳ（LTE端末およびLTE+端末の双方で用いるセル固有ＲＳ）に対して４アンテナポートを定義し、高次ＭＩＭＯ向けセル固有ＲＳ（LTE+端末のみで用いるセル固有ＲＳ）に対して別の８アンテナポートを定義してもよい。この場合、例えば、基地局は、3GPP-LTE向けのセル固有ＲＳにはアンテナポートあたり２つの物理アンテナにより重み付けして送信し、高次ＭＩＭＯ向けのセル固有ＲＳには各アンテナから重み付けなしで送信するという運用が可能である。
【００９０】
また、セル固有ＲＳはそのセルの報知情報（PBCH）またはPDCCHの復調に用いられるＲＳとして定義してもよく、端末固有ＲＳは端末への送信データの復調に用いられるＲＳとして定義してもよい。
【００９１】
また、周波数領域と時間領域との間の変換を行う方法は、ＩＦＦＴ、ＦＦＴに限られない。
【００９２】
また、本発明は、基地局および端末だけでなく、すべての無線通信装置に対して適用することができる。
【００９３】
また、上記実施の形態では、本発明をハードウェアで構成する場合を例にとって説明したが、本発明はソフトウェアで実現することも可能である。
【００９４】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９５】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００９６】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【００９７】
２００８年６月２３日出願の特願２００８−１６３０３４の日本出願に含まれる明細書、図面および要約書の開示内容は、すべて本願に援用される。
【産業上の利用可能性】
【００９８】
本発明は、移動体通信システム等に適用することができる。
【図１】
0005404622.tif 000002
【図２】
0005404622.tif 000003
【図３】
0005404622.tif 000004
【図４】
0005404622.tif 000005
【図５】
0005404622.tif 000006
【図６】
0005404622.tif 000007
【図７】
0005404622.tif 000008